(57)【特許請求の範囲】
【請求項１】
日射に応じてブラインドの高さ及びスラットの角度を制御するブラインド制御方法において、
太陽の位置の情報を含む太陽位置データ、前記ブラインドの周辺の建築物の外形の情報を含む周辺建築物データ、及び前記ブラインドの周囲の日除けの形状及び寸法の情報を含む日除け形状データを記憶するステップと、
現在の日時を入力するステップと、
前記現在の日時と前記太陽位置データから前記現在の日時の太陽の位置を取得するステップと、
前記太陽の位置から前記ブラインドに対する日射量を取得するステップと、
前記太陽の位置と前記周辺建築物データから前記ブラインドに対する前記周辺建築物による影を取得するステップと、
前記太陽の位置と前記日除け形状データから前記ブラインドに対する前記日除けによる影を取得するステップと、
前記周辺建築物による影及び前記日除けによる影を取得することによって求めた前記ブラインドに対する日射に基づき、ブラインド及びスラットを制御するステップと、
を有し、
前記周辺建築物データは、前記ブラインドのある位置を中心とした前記周辺建築物の方位別の最大仰角の情報を含み、
前記ブラインドの前記周辺建築物による影を取得するステップは、
前記ブラインドのある位置を中心とした前記周辺建築物の方位別の最大仰角の情報と前記太陽の位置とを比較して前記ブラインドの前記周辺建築物による影を取得する
ことを特徴とするブラインド制御方法。
【請求項２】
空調及び照明の二酸化炭素の排出量を計算するステップと、
前記二酸化炭素の排出量に応じてブラインド及びスラットを制御するステップと、
を有することを特徴とする請求項１に記載のブラインド制御方法。
ことを特徴とする請求項１に記載のブラインド制御方法。
【請求項３】
前記日除け形状データは、庇、袖壁、又はシェードのうち少なくとも１つの位置と寸法の情報を含み、
前記ブラインドの前記日除けによる影を取得するステップは、
前記ブラインドのある領域に対する前記太陽の位置と前記日除けの形状とを比較して取得する
ことを特徴とする請求項１又は請求項２に記載のブラインド制御方法。
【発明の詳細な説明】
【技術分野】
【０００１】
本発明は、建築物におけるブラインドの制御方法に関するものである。
【背景技術】
【０００２】
従来、建築物に設置されるブラインドにおいて、スラットに反射した太陽光が、上部のスラットほど室奥の天井に向かい、下部のスラットほど窓際の天井に向かうように、スラットの傾斜角度を、上部のスラットから下部のスラットにかけて順次変化させたブラインドがある（特許文献１参照）。
【０００３】
また、窓等の開口周辺に位置する遮蔽物が太陽光を遮った時に、ブラインド高さやスラット角度を調節することにより、効果的な昼光利用を可能にして、居住者の快適性を向上させるとともに、照明負荷、空調負荷等を低減させるように制御できる電動ブラインドがある（特許文献２参照）。
【先行技術文献】
【特許文献】
【０００４】
【特許文献１】特開平１０−３１７８５０号公報
【特許文献２】特開２０００−５４７６２号公報
【発明の概要】
【発明が解決しようとする課題】
【０００５】
しかしながら、特許文献１に記載されたブラインドは、スラット角度を状況に応じて制御することはできなかった。
【０００６】
また、特許文献２に記載されたブラインド制御は、単純な形状の庇や壁を考慮して制御するものであった。
【０００７】
本発明は上記課題を解決し、制御対象であるブラインドの周囲の状況によって、適切にブラインドを制御するブラインド制御方法を提供することを目的とする。
【課題を解決するための手段】
【０００８】
本発明は上記課題を解決するものであって、
日射に応じてブラインドの高さ及びスラットの角度を制御するブラインド制御方法において、
太陽の位置の情報を含む太陽位置データ、前記ブラインドの周辺の建築物の外形の情報を含む周辺建築物データ、及び前記ブラインドの周囲の日除けの形状及び寸法の情報を含む日除け形状データを記憶するステップと、
現在の日時を入力するステップと、
前記現在の日時と前記太陽位置データから前記現在の日時の太陽の位置を取得するステップと、
前記太陽の位置から前記ブラインドに対する日射量を取得するステップと、
前記太陽の位置と前記周辺建築物データから前記ブラインドに対する前記周辺建築物による影を取得するステップと、
前記太陽の位置と前記日除け形状データから前記ブラインドに対する前記日除けによる影を取得するステップと、
前記周辺建築物による影及び前記日除けによる影を取得することによって求めた前記ブラインドに対する日射に基づき、ブラインド及びスラットを制御するステップと、
を有し、
前記周辺建築物データは、前記ブラインドのある位置を中心とした前記周辺建築物の方位別の最大仰角の情報を含み、
前記ブラインドの前記周辺建築物による影を取得するステップは、
前記ブラインドのある位置を中心とした前記周辺建築物の方位別の最大仰角の情報と前記太陽の位置とを比較して前記ブラインドの前記周辺建築物による影を取得する
ことを特徴とする。
【０００９】
また、空調及び照明の二酸化炭素の排出量を計算するステップと、前記二酸化炭素の排出量に応じてブラインド及びスラットを制御するステップと、を有することを特徴とする。
【００１１】
また、前記日除け形状データは、庇、袖壁、又はシェードのうち少なくとも１つの位置と寸法の情報を含み、前記ブラインドの前記日除けによる影を取得するステップは、前記ブラインドのある領域に対する前記太陽の位置と前記日除けの形状とを比較して取得することを特徴とする。
【発明の効果】
【００１２】
本発明は上記課題を解決するものであって、
日射に応じてブラインドの高さ及びスラットの角度を制御するブラインド制御方法において、
太陽の位置の情報を含む太陽位置データ、前記ブラインドの周辺の建築物の外形の情報を含む周辺建築物データ、及び前記ブラインドの周囲の日除けの形状及び寸法の情報を含む日除け形状データを記憶するステップと、
現在の日時を入力するステップと、
前記現在の日時と前記太陽位置データから前記現在の日時の太陽の位置を取得するステップと、
前記太陽の位置から前記ブラインドに対する日射量を取得するステップと、
前記太陽の位置と前記周辺建築物データから前記ブラインドに対する前記周辺建築物による影を取得するステップと、
前記太陽の位置と前記日除け形状データから前記ブラインドに対する前記日除けによる影を取得するステップと、
前記周辺建築物による影及び前記日除けによる影を取得することによって求めた前記ブラインドに対する日射に基づき、ブラインド及びスラットを制御するステップと、
を有し、
前記周辺建築物データは、前記ブラインドのある位置を中心とした前記周辺建築物の方位別の最大仰角の情報を含み、
前記ブラインドの前記周辺建築物による影を取得するステップは、
前記ブラインドのある位置を中心とした前記周辺建築物の方位別の最大仰角の情報と前記太陽の位置とを比較して前記ブラインドの前記周辺建築物による影を取得する
ので、制御対象であるブラインドの周囲の建築物、周囲の日除けの形状、及びブラインドに入射する日射の状況によって、適切にブラインドを制御することが可能となる。
【００１３】
また、空調及び照明の二酸化炭素の排出量を計算するステップと、前記二酸化炭素の排出量に応じてブラインド及びスラットを制御するステップと、を有するので、二酸化炭素排出量を少なくするように環境を考慮した制御をすることができる。
【００１５】
また、前記日除け形状データは、庇、袖壁、又はシェードのうち少なくとも１つの位置と寸法の情報を含み、前記ブラインドの前記日除けによる影を取得するステップは、前記ブラインドのある領域に対する前記太陽の位置と前記日除けの形状とを比較して取得するので、さらに適切にブラインドを制御することが可能となる。
【図面の簡単な説明】
【００１６】
【図１】本実施形態のブラインドを建築物に設置した状態を示す図である。
【図２】本実施形態のブラインドの一部を拡大した図である。
【図３】本実施形態のブラインド制御のブロック図である。
【図４】周辺建築物データを示す図である。
【図５】窓周辺に日除けが形成された建築物を示す図である。
【図６】庇を有する窓を示す図である。
【図７】袖壁を有する窓を示す図である。
【図８】シェードを有する窓を示す図である。
【図９】開口を備えたシェードを有する窓を示す図である。
【図１０】太陽光導入モードを示す図である。
【図１１】太陽光導入モードでのブラインドの状態を示す図である。
【図１２】全閉モードでのブラインドの状態を示す図である。
【図１３】眺望モードの第１実施形態でのブラインドの状態を示す図である。
【図１４】眺望モードの第２実施形態でのブラインドの状態を示す図である。
【図１５】巻き上げモードでのブラインドの状態を示す図である。
【図１６】二酸化炭素排出量算出部を示す図である。
【図１７】本実施形態のブラインド制御のフローチャート図である。
【図１８】制御対象となるブラインドを有する窓に対する周辺の建築物による影を取得するサブルーチンを示すフローチャート図である。
【図１９】周辺建築物データ及び太陽の軌道を示す図である。
【図２０】制御対象となるブラインドを有する窓周辺の日除けによる影を取得するサブルーチンを示すフローチャート図である。
【発明を実施するための形態】
【００１７】
以下、図面を参照して本発明にかかるブラインド制御の一実施形態を説明する。
【００１８】
図１は、本実施形態のブラインド１を建築物に設置した状態を示す図である。本実施形態のブラインド１は、窓２の内側に隣接して、天井２から床３に向かって吊り下げられている。ブラインド１は、手動又は状況に応じて自動的に高さ、すなわち下端部１ａの天井からの距離を変更することが可能である。また、使用しない場合には、ブラインド１はすべて天井２の側へ引き上げておくことが可能である。なお、本実施形態のブラインド制御は、一般のブラインド１に適用することが可能である。
【００１９】
図２は、本実施形態のブラインドの一部を拡大した図である。ブラインド１は、スラット１１を鉛直方向に間隔を持って多数配設したものである。スラット１１は、手動又は状況に応じて自動的にスラット角θを調整することが可能である。
【００２０】
図３は、本実施形態のブラインド制御のブロック図である。
【００２１】
本実施形態のブラインド制御は、日時及び日射量等のパラメータを入力する入力部２１と、太陽位置データ、周辺建築物データ、及び日よけ形状データ等を記憶している記憶部２２と、入力部２１から各種パラメータを入力し、記憶部２２から各種データを入力する制御部３１と、制御部３１から出力された信号によりブラインド全体を駆動してブラインド１の高さを変更するブラインド駆動部４１と、制御部３１から出力された信号によりスラット１１の角度を変更するスタット駆動部４２と、を有する。
【００２２】
入力部２１は、装置に内蔵された時計等から日時を取得したり、日射量センサから制御時の拡散日射量及び直達日射量を取得して、制御部３１に送信する。
【００２３】
日射量センサとしては、太陽追尾型日射計を用いる方法、又は日射計を複数用いる方法がある。太陽追尾型日射計は、直達光を直接測定し、拡散日射量及び直達日射量を取得する。日射系を複数用いる場合には、直達日射量を鉛直面日射量計測値から計算式により取得し、拡散日射量を水平面日射量と直達日射量の差分により取得する。
【００２４】
記憶部２２は、制御対象となる建築物のブラインド位置の緯度及び経度データ、日時毎の太陽の方位角や高度を記憶した太陽位置データ、制御対象となるブラインドの周辺の建築物の高さや形状等を記憶した周辺建築物データ、及び制御対象となるブラインドを有する窓周辺に形成された庇、袖壁及びシェード等の日除けの形状を記憶した日除け形状データ等を記憶している。なお、太陽位置データは、日時から演算により求めてもよい。
【００２５】
図４は、周辺建築物データを示す図である。図４に示すように、周辺建築物データは、制御対象となるブラインドのある位置を中心とした周辺建築物Ｂの方位別の最大仰角の情報を入力したものである。例えば、周辺建築物Ｂのデータは、制御対象となるブラインドの場所毎に建築物の境界が天空に占める部分を仰角と方位角で求めたものである。
【００２６】
図５は窓周辺に日除けが形成された建築物を示す図、図６〜図９はそれぞれ図５の一部を拡大した図である。
【００２７】
日除け形状データは、建築物の対象となるブラインドを有する窓周辺に形成された日除けの形状と寸法を記憶している。例えば、図５の領域Ｗ13は、図６に示すように窓２の上方に庇６１を有する。また、図５の領域Ｗ32は、図７に示すように窓２の側方に袖壁６２を有する。さらに、図５の領域Ｗ11は、図８に示すように窓２の前方にシェード６３を有する。さらに、図５の領域Ｗ23は、図９に示すように窓２の前方に開口６４を備えたシェード６３を有する。
【００２８】
図６は、庇タイプの日除けを示す図である。記憶する寸法は、ブラインド１と窓２の距離、領域Ｗに対する窓２の位置、高さ、及び幅、並びに、領域Ｗに対する庇６１の位置、突出長さ及び幅である。
【００２９】
図７は、袖壁タイプの日除けを示す図である。記憶する寸法は、ブラインド１と窓２の距離、領域Ｗに対する窓２の位置、高さ、及び幅、並びに、領域Ｗに対する袖壁６２の位置、突出長さ及び高さである。
【００３０】
図８は、シェードタイプの日除けを示す図である。記憶する寸法は、ブラインド１と窓２の距離、領域Ｗに対する窓２の位置、高さ、及び幅、並びに、領域Ｗに対するシェード６３の位置、高さ及び幅である。
【００３１】
図９は、開口シェードタイプの日除けを示す図である。記憶する寸法は、ブラインド１と窓２の距離、領域Ｗに対する窓２の位置、高さ、及び幅、領域Ｗに対するシェード６３の位置、高さ及び幅、並びに、領域Ｗに対する開口６４の位置、高さ及び幅である。
【００３２】
なお、前面のシェードを複数有するタイプでもよい。また、庇６１、袖６２壁、シェード６３等をそれぞれ組み合わせたタイプでもよい。
【００３３】
これらの寸法は、建築物の設計時に決定するので、制御領域毎にあらかじめ記憶しておく。
【００３４】
制御部３１は、入力部２１から取得した日時に基づいた太陽の位置を記憶部２２から取得して、入力部２１から取得した制御時の日射と太陽の位置に応じて周辺建築物及び日除け形状によって窓にできる影の状態を算出する。そして、算出した日射と影に基づいて、制御部３１は、ブラインド駆動部４１及びスラット駆動部４２に駆動信号を送信する。ブラインド駆動部４１は、制御部３１が送信した信号に基づいて、ブラインド１が所定の高さとなるまで駆動する。また、スラット駆動部４２は、制御部３１が送信した信号に基づいて、スラット１１の角度が所定の角度となるまで駆動する。
【００３５】
次に、本実施形態のブラインド制御を説明する。
【００３６】
まず、フローチャートを説明する前に、フローチャート内の処理のうち、ブラインド１の状態を設定する各制御モードについて説明する。本実施形態のブラインド制御では、ブラインドを、太陽光導入モード、全閉モード、眺望モード、巻き上げモードのいずれかの状態に制御する。
【００３７】
図１０は太陽光導入モードを示す図、図１１は太陽光導入モードでのスラットを示す図である。
【００３８】
太陽光導入モードは、図１０に示すように、ブラインド１を通して太陽光線Ｌが室内奥の天井面まで届くようにする。そのために、図１１に示すように個々のスラット１１の角度を制御する。スラット１１の角度は、入力部２１からの入力及び記憶部２２のデータに基づいて制御部３１で算出される。
【００３９】
図１２は全閉モードでのスラットを示す図である。
【００４０】
全閉モードは、太陽光が室内に入らないように、ブラインド１のすべてのスラット１１の角度を９０°に制御する。
【００４１】
図１３は第１実施例の眺望モードでのスラットを示す図、図１４は第２実施例の眺望モードでのスラットを示す図である。
【００４２】
眺望モードは、室内から外の眺望を確保する状態にスラット角を制御する。例えば、図１３に示す第１実施例のように、ブラインド１のすべてのスラット１１の角度を０°とする。また、図１４に示す第２実施例のように、所定の位置に瞳Ｅがある時に、窓の外の眺望が確保できるように、各スラット１１の角度をそれぞれ設定してもよい。
【００４３】
また、巻き上げモードは、図１５に示すように、ブラインド１を天井側へ巻き上げる制御であり、眺望モードの一つとして設定してもよい。
【００４４】
次に、フローチャート内の処理のうち、二酸化炭素排出量の算出について説明する。図１６は、二酸化炭素排出量算出部を示す図である。
【００４５】
まず、図１０〜図１５で説明したような各制御モードへ制御した時のブラインド１のスラット１１の角度を取得する。また、記憶部２２から太陽の方位と高度、入力部２１から日射量及び制御部３１の算出した窓の日射投影面積をそれぞれ取得する。
【００４６】
そして、プレステップ１で、取得した各情報から調光ポイントでの昼光照度を求めて（ＰＳＴ１）、プレステップ２で、使用する照明による消費エネルギーを求める（ＰＳＴ２）。その後、プレステップ３で、照明による消費エネルギーから照明による二酸化炭素排出量を算出する（ＰＳＴ３）。
【００４７】
並行して、プレステップ４で、取得した各情報により窓面からの熱取得量を求める（ＰＳＴ４）。また、プレステップ５で、照明による消費エネルギーから照明による発熱量を求める（ＰＳＴ５）。次に、プレステップ６で、窓面からの熱取得量と照明による発熱量から空調によって消費するエネルギーを求める（ＰＳＴ６）。その後、プレステップ７で、空調による二酸化炭素排出量を算出する（ＰＳＴ７）。
【００４８】
最後に、プレステップ８で、照明による二酸化炭素排出量と空調による二酸化炭素排出量から全体の二酸化炭素排出量を求める（ＰＳＴ８）。
【００４９】
次に、本実施形態のブラインド制御のフローチャートについて説明する。
【００５０】
図１７は、本実施形態のブラインド制御のフローチャート図である。
【００５１】
なお、制御を始める前に、図３で示した記憶部２２には、あらかじめ太陽位置データ、周辺建築物データ、及び日除け形状データ等を記憶しておく。
【００５２】
まず、ステップ１として、日時を入力する（ＳＴ１）。
【００５３】
ステップ２で、入力部２１から入力された制御時の日時が夜間又は休日か否かを判断する（ＳＴ２）。
【００５４】
ステップ２において、夜間又は休日である場合、ステップ３で、制御部３１は、全閉モードと眺望モードでの二酸化炭素排出量をそれぞれ算出する（ＳＴ３）。
【００５５】
続いて、ステップ４で、ステップ３において算出した全閉モードの二酸化炭素排出量が眺望モードの二酸化炭素排出量よりも多いか否かを判断する（ＳＴ４）。
【００５６】
ステップ４において、全閉モードの二酸化炭素排出量が眺望モードの二酸化炭素排出量よりも多い場合、ステップ５で、眺望モード又は巻き上げモードとし、ブラインド駆動部４１及びスラット駆動部４２を制御して、図１３、図１４又は図１５のようにブラインド１及びスラット１１を制御して（ＳＴ５）、終了する。
【００５７】
ステップ４において、全閉モードの二酸化炭素排出量が眺望モードの二酸化炭素排出量よりも少ない場合、ステップ６で、全閉モードとし、ブラインド駆動部４１及びスラット駆動部４２を制御して、図１２のようにブラインド１及びスラット１１を制御して（ＳＴ６）、終了する。
【００５８】
また、ステップ２において、夜間又は休日でない場合、ステップ７で、記憶部２２の太陽位置データ、日時から演算した太陽の位置、又は入力部２１の日射量センサの少なくとも１つの情報から日射量を取得する（ＳＴ７）。
【００５９】
次に、ステップ８で、入力部２１と記憶部２２の情報に基づき、制御対象となるブラインドを有する窓に対する周辺の建築物による影を取得するサブルーチンを実行する（ＳＴ８）。
【００６０】
図１８は、制御対象となるブラインドを有する窓に対する周辺の建築物による影を取得するサブルーチンを示すフローチャート図である。
【００６１】
まず、ステップ８１で、入力部２１から日時を取得する（ＳＴ８１）。続いてステップ８２で、入力部２１から太陽の方位角と高度等の位置を取得する（ＳＴ８２）。次に、ステップ８３で、図４に示した周辺の建築物の最大仰角のデータを記憶部２２から取得する（ＳＴ８３）。
【００６２】
次に、ステップ８４で、制御対象となるブラインドを有する窓に対する周辺建築物による影を取得する（ＳＴ８４）。その後、図１７に示した通常ルーチンに戻る。
【００６３】
図１９は、周辺建築物データ及び太陽の軌道を示す図である。図１９に示すように、周辺建築物データは、ブラインドのある位置を中心とした周辺建築物Ｂの方位別の最大仰角の情報を入力したものである。例えば、周辺建築物Ｂのデータは、制御対象となるブラインドのある位置毎に建築物の境界が天空に占める部分を仰角と方位角で求めたものである。
【００６４】
図１９中、Ｓは所定の日の太陽の軌道を示している。そして、太陽の軌道５０と建物Ｂとが重なっている箇所では、建物Ｂの影が制御対象となるブラインドのある場所に発生していることを示している。例えば、図１９では、太陽の軌道５０のうち、建物Ｂの範囲と重なっていない実線５２では、影がなく、日射が制御対象となるブラインドのある場所に直接当たり、建物Ｂの範囲と重なっている点線部分５１と点線部分５３では、制御対象となるブラインドのある場所に建物Ｂの影ができることがわかる。
【００６５】
次に、ステップ９で、ステップ７における結果、制御対象となるブラインドを有する窓に日射が入るか否かを判断する（ＳＴ９）。
【００６６】
ステップ９において、制御対象となるブラインドを有する窓に日射が入ると判断した場合、ステップ９で、入力部２１と記憶部２２の情報に基づき、日除けによる影を取得するサブルーチンを実行する（ＳＴ１０）。
【００６７】
図２０は、制御対象となるブラインドを有する窓周辺の日除けによる影を取得するサブルーチンを示すフローチャート図である。
【００６８】
日射投影面積及び図１０で示した天井から日射最上位置までの距離ｈは、日時に応じた太陽の方位角及び高度によって変化する。また、図５〜図９で示した日除けによっても、日射投影面積及び図１１で示した天井から日射最上位置までの距離ｈは変化する。このサブルーチンでは、日時に応じた太陽の位置及び日除けの影響によって、制御対象となるブラインドを有する窓に対する日射の投影面積及び日射の最上位置までの天井からの距離ｈを取得する。そして、ステップ９のサブルーチンで求めた結果を通常ルーチンでのスラットの角度の制御に用いる。
【００６９】
まず、ステップ１０１で、入力部２１から日時を取得する（ＳＴ１０１）。続いてステップ１０２で、入力部２１から太陽の方位角と高度を取得する（ＳＴ１０２）。次に、ステップ１０３で、図５〜図９に示した日除け形状データを記憶部２２から取得する（ＳＴ１０３）。
【００７０】
次に、ステップ１０４で、制御対象となるブラインドを有する窓に対する日除けによる影を取得する（ＳＴ１０４）。続いて、ステップ９５で、制御対象となるブラインドを有する窓に対する日射投影面積及び図１０に示した天井から日射最上位置までの距離ｈを取得する（ＳＴ１０５）。その後、図１７に示した通常ルーチンに戻る。
【００７１】
次に、ステップ１１で、制御対象となるブラインドを有する窓に対する日射量が所定の閾値よりも多いか否かを判断する（ＳＴ１１）。
【００７２】
ステップ１１において、制御対象となるブラインドを有する窓に対する日射量が所定の閾値よりも多いと判断した場合、ステップ１２で、制御部３１が太陽光導入モードでのブラインド１の各スラット１１の角度をそれぞれ算出する（ＳＴ１２）。
【００７３】
次に、ステップ１３で、制御部２１は、太陽光導入モードと全閉モードでのそれぞれの二酸化炭素排出量を図１６で示した二酸化炭素排出量算出部で算出する（ＳＴ１３）。
【００７４】
続いて、ステップ１４で、ステップ１２において算出した全閉モードの二酸化炭素排出量が太陽光導入モードモードの二酸化炭素排出量よりも多いか否かを判断する（ＳＴ１４）。
【００７５】
ステップ１４において、全閉モードの二酸化炭素排出量が太陽光導入モードの二酸化炭素排出量よりも多い場合、ステップ１５で、太陽光導入モードとし、ブラインド駆動部４１及びスラット駆動部４２を制御して、図１０及び図１１のようにステップ１０で算出した角度にブラインド１及びスラット１１を制御して（ＳＴ１５）、終了する。
【００７６】
ステップ１４において、全閉モードの二酸化炭素排出量が太陽光導入モードの二酸化炭素排出量よりも少ない場合、ステップ１６で、全閉モードとし、ブラインド駆動部４１及びスラット駆動部４２を制御して、図１２のようにブラインド１及びスラット１１を制御して（ＳＴ１６）、終了する。
【００７７】
ステップ９において、制御対象となるブラインドを有する窓に日射が入らないと判断した場合、及び、ステップ１０において、制御対象となるブラインドを有する窓に対する日射量が所定の閾値よりも少ないと判断した場合、ステップ１７で、制御部３１は、図１６で示したように、全閉モードと眺望モードでの二酸化炭素排出量をそれぞれ算出する（ＳＴ１７）。
【００７８】
続いて、ステップ１８で、ステップ１７において算出した全閉モードの二酸化炭素排出量が眺望モードの二酸化炭素排出量よりも多いか否かを判断する（ＳＴ１８）。
【００７９】
ステップ１８において、全閉モードの二酸化炭素排出量が眺望モードの二酸化炭素排出量よりも多い場合、ステップ１９で、眺望モード又は巻き上げモードとし、ブラインド駆動部４１及びスラット駆動部４２を制御して、図１３、図１４又は図１５のようにブラインド１及びスラット１１を制御して（ＳＴ１９）、終了する。
【００８０】
ステップ１８において、全閉モードの二酸化炭素排出量が眺望モードの二酸化炭素排出量よりも少ない場合、ステップ２０で、全閉モードとし、ブラインド駆動部４１及びスラット駆動部４２を制御して、図１２のようにブラインド１及びスラット１１を制御して（ＳＴ２０）、終了する。
【００８１】
このように、本実施形態によれば、日射に応じてブラインド１の高さ及びスラット１１の角度を制御するブラインド制御方法において、太陽の位置の情報を含む太陽位置データ、ブラインド１の周辺の建築物Ｂの外形の情報を含む周辺建築物データ、及びブラインド１の周囲の日除けの形状及び寸法の情報を含む日除け形状データを記憶するステップと、現在の日時を入力するステップと、現在の日時と太陽位置データから現在の日時の太陽の位置を取得するステップと、太陽の位置からブラインド１に対する日射量を取得するステップと、太陽の位置と周辺建築物データからブラインドに対する周辺建築物Ｂによる影を取得するステップと、太陽の位置と日除け形状データからブラインド１に対する日除けによる影を取得するステップと、周辺建築物Ｂによる影及び日除けによる影を取得することによって求めたブラインド１に対する日射に基づき、ブラインド１及びスラット１１を制御するステップと、を有するので、制御対象であるブラインド１の周囲の建築物Ｂ、周囲の日除けの形状、及びブラインド１に入射する日射の状況によって、適切にブラインド１を制御することが可能となる。
【００８２】
また、空調及び照明の二酸化炭素の排出量を計算するステップと、二酸化炭素の排出量に応じてブラインド１及びスラット１１を制御するステップと、を有するので、二酸化炭素排出量を少なくするように環境を考慮した制御をすることができる。
【００８３】
また、周辺建築物データは、ブラインド１のある位置を中心とした周辺建築物Ｂの方位別の最大仰角の情報を含み、ブラインド１の周辺建築物Ｂによる影を取得するステップは、ブラインド１のある位置を中心とした周辺建築物Ｂの方位別の最大仰角の情報と太陽の位置とを比較してブラインド１の周辺建築物Ｂによる影を取得するので、さらに適切にブラインド１を制御することが可能となる。
【００８４】
また、日除け形状データは、庇６１、袖壁６２、又はシェード６３のうち少なくとも１つの位置と寸法の情報を含み、ブラインド１の日除けによる影を取得するステップは、ブラインド１のある領域に対する太陽の位置と日除けの形状とを比較して取得するので、さらに適切にブラインド１を制御することが可能となる。
【符号の説明】
【００８５】
１…ブラインド、２…窓、３…天井、４…床、１１…スラット、２１…入力部、２２…記憶部、３１…制御部、４１…ブラインド駆動部、４２…スラット駆動部、６１…庇、６２…袖壁、６３…シェード、６４…開口
【図１】
0005590401.tif 000002
【図２】
0005590401.tif 000003
【図３】
0005590401.tif 000004
【図４】
0005590401.tif 000005
【図５】
0005590401.tif 000006
【図６】
0005590401.tif 000007
【図７】
0005590401.tif 000008
【図８】
0005590401.tif 000009
【図９】
0005590401.tif 000010
【図１０】
0005590401.tif 000011
【図１１】
0005590401.tif 000012
【図１２】
0005590401.tif 000013
【図１３】
0005590401.tif 000014
【図１４】
0005590401.tif 000015
【図１５】
0005590401.tif 000016
【図１６】
0005590401.tif 000017
【図１７】
0005590401.tif 000018
【図１８】
0005590401.tif 000019
【図１９】
0005590401.tif 000020
【図２０】
0005590401.tif 000021